(57)【要約】      （修正有）【課題】氷や雪に閉ざされた地面で、設置安定性が高い多機能一体型三脚を提供する。【解決手段】多機能一体型三脚は、雲台、水平ベース、三脚部を含み、雲台はボール受け１を含み、ボール受けの上部に開口が形成され、開口内にボールヘッド３が設置され、ボール受けの側表面にボール受け縦開口７が形成され、ボール受け縦開口の下にボール受け横開口９が形成され、ボール受け縦開口の下端とボール受け横開口の中心とは９０°であり、ボール受け回転ベース１０の下部に半円形ボウル１１が設置され、半円形ボウルの下部に三爪部１２が設置され、三爪部の側面に締付ノブ１６が設置され、三爪部と脚の接続口との間に脚開放バックル１４が設置され、脚の底部に雌ねじナットと、三脚用釘内側凹み状半円斜角とを含む三脚用釘２０が設置され、三脚用釘は雌ねじナットと螺接され、三脚用釘内側凹み状半円斜角と地面は９０°をなす。【選択図】図１
0003216047.tif 000002
【実用新案登録請求の範囲】
【請求項１】
開口が形成されたボール受けを含み、開口内にクイックリリースプレートコネクタに接続するためのボールヘッドが設置され、ボール受けの外部に水準器が設置され、ボール受けの外側面にボールヘッド締付ノブが設置され、ボール受けの側面にボール受け縦開口が形成され、ボール受け縦開口の下にボール受け横開口が形成され、ボール受けの側面におけるボール受け縦開口はボール受けを左右に分割し、ボール受けの側面におけるボール受け横開口はボール受けを上下に分割し、ボール受けの下部に回転ベースが設置され、回転ベースの下部に半円形ボウルが設置され、半円形ボウル内に半円形ナットが設置され、半円形ボウルの下部に三爪部が設置され、三爪部の外部に締付ノブが設置され、三爪部と脚の接続口との間に脚開放バックルが設置され、脚の底部には、雌ねじナットと、三脚用釘内側凹み状半円斜角とを含む三脚用釘が設置され、三脚用釘は雌ねじナットと螺接され、三脚用釘内側凹み状半円斜角と地面は９０°をなし、ボール受け縦開口の下端とボール受け横開口の中心とは９０°であり、これで、ボールヘッド締付ノブを回転させることにより、ボール受け孔とボール受けねじ穴がボール受けをクランプして微細に収縮させ、また、ボール受けのクランプ微細収縮システムと回転ベースとは上下に分割され、さらに、撮影装置への衝撃が吸収されることができることを特徴とする多機能一体型三脚。
【請求項２】
ボールヘッド締付ノブは、ねじ軸、ボール受け孔、ボール受け縦開口、及びボール受けねじ穴を含み、ボールヘッド締付ノブの雌ねじはねじ軸の一端に接続され、ねじ軸の他端はボール受け孔、ボール受け縦開口を通ってボール受けねじ穴に接続され、ボールヘッド締付ノブを回転させることにより、ボール受け孔とボール受けねじ穴がボール受けをクランプして微細に収縮させ、ボール受け孔とボール受けねじ穴が対応することを特徴とする請求項１に記載の多機能一体型三脚。
【請求項３】
ボール受けは横開口を持ち、ボール受けのクランプ微細収縮システムと回転ベースとは上下に分割され、ボールヘッド締付ノブを回転させることにより、ボール受けがクランプされて微細に収縮し、回転ベースが影響されないことを特徴とする請求項２に記載の多機能一体型三脚。
【請求項４】
三爪部側面に締付ノブが設置され、三爪部内には、半円形斜角スペーサーと、凸形斜角スクリューと、半円形斜角ねじ付きスペーサーと、バネとを含むねじ軸が設置され、締付ノブの雌ねじは、ねじ軸と接続され、ねじ軸は三爪部側孔と接触し、ねじ軸の他端に半円形斜角スペーサーによりばねが嵌められ、凸形斜角スクリューは半円形斜角ねじ付きスペーサーの雌ねじと接続され、凸形斜角スクリューの両側の斜角は、半円形斜角スペーサー、半円形斜角ねじ付きスペーサー対と接触し、凸形斜角スクリューの他端は、三爪部の中部孔を通して半円形ボウルに嵌められて、半円形ナットの雌ねじと接続され、半円形ボウルの外表面は三爪部斜角と接触し、回転ベース下部ねじは、半円形ボウル内の雌ねじと接続されることを特徴とする請求項３に記載の多機能一体型三脚。
【請求項５】
三爪部の爪内に爪部スリーブスクリューと、爪部バネとが設置され、爪部スリーブスクリューは爪部穴を通して爪部バネに嵌められて、対応する爪部穴と接触し、爪部スリーブスクリューの両端は、脚接続口に嵌められ、両壁は六角穴付ボルトと突き合わせられ、爪部バネは三爪部の爪と接触し、かつＬ字形脚開放バックルの長孔の内壁と接触することを特徴とする請求項４に記載の多機能一体型三脚。
【請求項６】
Ｌ字形脚開放バックルの側面に長方形孔が形成され、Ｌ字形脚開放バックルは長方形スペーサー、スクリュー、及びバネを含み、スクリューは、長方形スペーサーと接触し、スクリューの他端は、長方形スペーサーを通ってＬ字形脚開放バックルの長孔に嵌められて、脚接続口平面ねじ穴と接続され、バネは、脚接続口平面位置決めピンに嵌められて、長方形スペーサーと接触し、長方形スペーサーの他端は、Ｌ字形脚開放バックルの側面の長方形孔と接触することを特徴とする請求項５に記載の多機能一体型三脚。
【請求項７】
Ｌ字形脚開放バックルの長方形スペーサーを引いてＬ字形脚開放バックルをロックし、脚が全部開いた場合、長方形スペーサーが自動的にアンロックし、Ｌ字形脚開放バックルが自動的に復帰することを特徴とする請求項６に記載の多機能一体型三脚。
【請求項８】
前記脚は複数のパイプを有する多段式の伸縮脚であり、かつ三脚用釘側のパイプの径は、三爪部側のパイプの径より大きいことを特徴とする請求項１〜７のいずれかに記載の多機能一体型三脚。
【考案の詳細な説明】
【技術分野】
【０００１】
本考案は、撮影補助設備、特に多機能一体型三脚に関する。
【背景技術】
【０００２】
多機能一体型三脚は、カメラの撮影角度を調節するために用いられ、使用の場合、まず三脚を開き、次に雲台とセットとなったクイックリリースプレートをカメラに回転して取り付け、最後に雲台を三脚に取り付ける。三脚によりカメラは３６０°で水平に回転し、一定の角度で上下に傾けることができる。
【０００３】
従来の技術（例えば、下記の特許文献１）では、設計が不適切なため、三脚の三脚用釘が外側へ滑りやすい。特に氷や雪に閉ざされた地面で、安定性が低く、使用しにくい。
【先行技術文献】
【特許文献】
【０００４】
【特許文献１】中国実用新案公開  CN201425693Y
【考案の概要】
【考案が解決しようとする課題】
【０００５】
本考案は、氷や雪に閉ざされた地面で三脚用釘が外側へ滑ることを防止できる多機能一体型三脚提供し、上記の目的を達成するために、本考案は以下の技術方案を用いる。
【課題を解決するための手段】
【０００６】
多機能一体型三脚は、開口が形成されたボール受けを含み、開口内にクイックリリースプレートコネクタに接続するためのボールヘッドが設置され、ボール受けの外部に水準器が設置され、ボール受けの外側面にボールヘッド締付ノブが設置され、ボール受けの側面にボール受け縦開口が形成され、ボール受け縦開口の下にボール受け横開口が形成され、ボール受けの側面におけるボール受け縦開口はボール受けを左右に分割し、ボール受けの側面におけるボール受け横開口はボール受けを上下に分割し、ボール受けの下部に回転ベースが設置され、回転ベースの下部に半円形ボウルが設置され、半円形ボウル内に半円形ナットが設置され、半円形ボウルの下部に三爪部が設置され、三爪部の外部に締付ノブが設置され、三爪部と脚の接続口との間に脚開放バックルが設置され、脚の底部に雌ねじナットと、三脚用釘内側凹み状半円斜角とを含む三脚用釘が設置され、三脚用釘は雌ねじナットと螺接され、三脚用釘内側凹み状半円斜角と地面は９０°をなし、ボール受け縦開口の下端とボール受け横開口の中心とは９０°であり、これで、ボールヘッド締付ノブを回転させることにより、ボール受け孔とボール受けねじ穴が微細収縮ボール受けをクランプして微細に収縮させ、また、ボール受けのクランプ微細収縮システムと回転ベースとは上下に分割され、さらに、撮影装置への衝撃が吸収され、脚の底部には、雌ねじナットと、三脚用釘内側凹み状半円斜角とを含む三脚用釘が設置され、三脚用釘は脚雌ねじナットと接続され、三脚用釘内側凹み状半円斜角と地面は９０°をなし、氷や雪に閉ざされた地面で三脚用釘が外側へ滑ることを防止できる。
【０００７】
回転ベース下部ねじは、半円形ボウル内の雌ねじと接続され、三爪部の上部に斜角が設置され、三爪部側面に締付ノブが設置され、三爪部内には、半円形斜角スペーサーと、凸形斜角スクリューと、半円形斜角ねじ付きスペーサーと、バネとを含むねじ軸が設置され、締付ノブの雌ねじは、ねじ軸と接続され、ねじ軸は三爪部側孔と接触し、ねじ軸の他端に半円形斜角スペーサーによりばねが嵌められ、凸形斜角スクリューは半円形斜角ねじ付きスペーサーの雌ねじと接続され、凸形斜角スクリューの両側の斜角は、半円形斜角スペーサー、半円形斜角ねじ付きスペーサー対と接触し、凸形斜角スクリューの他端は、三爪部の中部孔を通して半円形ボウルに嵌められて、半円形ナットの雌ねじと接続され、半円形ボウルの外表面は三爪部斜角と接触し、三爪部の爪内に爪部スリーブスクリュー、爪部バネが設置され、爪部スリーブスクリューは爪部穴を通して爪部バネに嵌められて、対応する爪部穴と接触し、爪部スリーブスクリューの両端は、脚接続口に嵌められ、両壁は六角穴付ボルトと突き合わせられ、Ｌ字形脚開放バックルの側面に長方形孔が形成され、Ｌ字形脚開放バックルは長方形スペーサー、スクリュー、及びバネを含み、スクリューは、長方形スペーサーと接触し、スクリューの他端は、長方形スペーサーによりＬ字形脚開放バックルの長孔に嵌められて、脚接続口平面ねじ穴と接続され、バネは、脚接続口平面位置決めピンに嵌められて、長方形スペーサーと接触し、長方形スペーサーの他端は、Ｌ字形脚開放バックルの側面の長方形孔と接触し、爪部バネは三爪部の爪と接触し、爪部バネの他端はＬ字形脚開放バックルの長孔の内壁と接触し、Ｌ字形脚開放バックルの長方形スペーサーを引いてＬ字形脚開放バックルをロックし、脚が全部開いた場合、長方形スペーサーが自動的にアンロックし、Ｌ字形脚開放バックルが自動的に復帰し、脚の底部には、脚雌ねじナットと、三脚用釘内側凹み状半円斜角とを含む三脚用釘が設置され、三脚用釘は脚雌ねじナットと接続され、三脚用釘内側凹み状半円斜角と地面は９０度をなし、氷や雪に閉ざされた地面で三脚用釘が外側へ滑ることを防止できる。
【０００８】
前記脚は複数のパイプを有する多段式の伸縮脚であり、かつ三脚用釘側のパイプの径は、三爪部側のパイプの径より大きい。
【考案の効果】
【０００９】
本考案により、氷や雪に閉ざされた地面で三脚用釘が外側へ滑ることを防止できる。
【図面の簡単な説明】
【００１０】
【図１】本考案の多機能一体型三脚の構造概略図である。
【図２】図１のＡ−Ａ断面概略図である。
【図３】図１のＢ‐Ｂ断面概略図である。
【図４】本考案の他の実施形態に係る多機能一体型三脚の脚の構造概略図である。
【考案を実施するための形態】
【００１１】
図１、図２及び図３を参照しながら本考案を詳細に説明する。
本考案は、ボール受け１を含む多機能一体型三脚を提供し、ボール受け１の上部に開口２が設置され、開口２内にクイックリリースプレートコネクタに接続するためのボールヘッド３が設置され、ボール受け１の外部に水準器６が設置され、ボール受け１の外側面にボールヘッド締付ノブ４が設置され、ボール受け１の下部に回転ベース１０が設置され、回転ベース１０の下部に半円形ボウル１１が設置され、半円形ボウル１１の下部に三爪部１２が設置され、三爪部１２の外部に締付ノブ１６が設置され、三爪部１２と脚の接続口１３との間に脚開放バックル１４が設置され、脚１９の底部に三脚用釘２０が設置され、三爪部１２の底部に半円形フック１８が設置され、
ボール受け１の側表面に縦開口７が設置され、ボール受け縦開口７の下に横半分開口９が設置され、図３において、ボールヘッド締付ノブ４は、ねじ軸４−１と、ボール受け孔１−２と、縦開口７と、及びボール受けねじ穴１−１とを含み、 ボールヘッド締付ノブ４の雌ねじはねじ軸４−１に接続され、ねじ軸４−１の他端は、ボール受け孔１−２によりボール受けねじ穴１−１に接続され、そのうち、ボール受け孔１−２とボール受けねじ穴１−１が対応し、ボール受け縦開口７の下に横半分開口９があり、ボール受け１が上下に分割され、また、ボールヘッド締付ノブ４を回転させることにより、ボール受け孔１−２とボール受けねじ穴１−１がボール受け１をクランプして微細に収縮させ、さらに、撮影装置への衝撃が吸収され、回転ベース下部ねじ１０−１は半円形ボウル雌ねじ１１−１と接続され、半円形ボウル１１の外表面は三爪部斜角１２−１と接触し、締付ノブ１６の雌ねじは、ねじ軸１６−１と接続され、ねじ軸１６−１は三爪部側孔１２−２と接触し、ねじ軸１６−１の他端に半円形斜角スペーサー１６−２によりばね１６−３が嵌められ、凸形斜角スクリュー１６−４は半円形斜角ねじ付きスペーサー１６−５の雌ねじと接続され、凸形斜角スクリュー１６−４の両側の斜角は、半円形斜角スペーサー１６−２、半円形斜角ねじ付きスペーサー１６−５対と接触し、凸形斜角スクリュー１６−４の他端は、三爪部１２の中部孔を通して半円形ボウル１１に嵌められて、半円形雌ねじナット１１−２と接続され、三爪部１２の爪部スリーブスクリュー１５−１は、爪部穴を介して爪部バネ１５−２に嵌められて、対応する爪部穴と接触し、爪部スリーブスクリュー１５−１の両端は、脚接続口１３に嵌められ、両壁は六角穴付ボルト１５と突き合わせられ、爪部バネ１５−２は、三爪部１２の爪と接触し、爪部バネ１５−２の他端は、Ｌ字状脚開放バックル１４の長孔の内壁と接触し、ネジロッド１４−４は、長方形スペーサー１４−１と接触し、ネジロッド１４−４の他端は、長方形スペーサー１４−１によりＬ字形脚開放バックル１４の長孔に嵌められて、脚接続口平面ねじ穴１４−５と接続され、バネ１４−２は、脚接続口平面位置決めピン１４−３に嵌められて、長方形スペーサー１４−１と接触し、長方形スペーサー１４−１の他端は、Ｌ字形脚開放バックル１４の側面の長方形孔１４−６と接触し、Ｌ字形脚開放バックル１４の長方形スペーサー１４−１を引いてＬ字形脚開放バックル１４をロックし、脚１９が全部開いた場合、長方形スペーサー１４−１が自動的にアンロックし、Ｌ字形脚開放バックル１４が自動的に復帰し、三脚用釘２０は脚雌ねじナット２０−１と接続され、三脚用釘２０の内側凹み状半円斜角２０−２と地面は９０度をなし、三脚用釘２０が外側へ滑ることを防止する。
【００１２】
図１において、開口２、ボールヘッド３、一方向位置決めノブ５、回転ベース位置決めノブ８、半円形フック１８、及び脚１９は、それぞれ、従来の技術である。
【００１３】
また、本考案の他の実施形態に係る多機能一体型三脚において、各脚１９は複数のパイプを有する多段式の伸縮脚であり、かつ三脚用釘側のパイプの径は、三爪部側のパイプの径より大きい。例えば、図４に示すように、脚１９は、三脚用釘側の第１パイプ１９Ａと三脚用釘側の第２パイプ１９Ｂが継合して形成されるものである。第１パイプ１９Ａの内径は第２パイプ１９Ｂの外径より僅か大きめに設置される。これにより、重心の低い安定な三脚が提供できる。
【００１４】
本考案は、三脚の三脚用釘２０の内側凹み状半円斜角２０−２と地面は９０度をなし、氷や雪に閉ざされた地面で三脚用釘２０が外側へ滑ることを防止できることを特徴とする。
【符号の説明】
【００１５】
１  ボール受け
２  開口
３  ボールヘッド
４  ボールヘッド締付ノブ
５  一方向位置決めノブ
６  水準器
７  縦開口
８  回転ベース位置決めノブ
９  横半分開口
１０回転ベース
１１  半円形ボウル
１２  三爪部
１３  脚接続口
１４  脚開放バックル
１５  六角穴付ボルト
１６  締付ノブ
１７  凹みボウル状ナット
１８  半円形フック
１９  脚
２０  三脚用釘
１０−１  回転ベース下部ねじ
１１−１  半円形ボウル雌ねじ
１１−２  半円形ナット
１２−１  三爪部斜角
１２−２  三爪部側孔
１４−１  長方形スペーサー
１４−２  バネ
１４−３  脚接続口平面位置決めピン
１４−４  ネジロッド
１４−５  脚接続口平面ねじ穴
１４−６  長方形孔
１５−１  爪部スリーブスクリュー
１５−２  爪部バネ
１６−１  ねじ軸
１６−２  半円形斜角スペーサー
１６−３  バネ
１６−４  凸形斜角スクリュー
１６−５  半円形斜角ねじ付きスペーサー
２０−１  脚雌ねじナット
２０−２  凹み状半円斜角
１−１  ボール受けねじ穴
１−２  ボール受け孔
４−１  ねじ軸
４−２  スクリュー
４−３  円形スペーサー
１９Ａ  第１パイプ
１９Ｂ  第２パイプ
【図１】
0003216047.tif 000003
【図２】
0003216047.tif 000004
【図３】
0003216047.tif 000005
【図４】
0003216047.tif 000006